(57)【特許請求の範囲】
【請求項１】
選別後の二番物を揺動選別装置（４２）の前部に還元するためのコンバイン（６０）の二番還元縦コンベア（４８）において、該二番還元縦コンベア（４８）の下部を、二番コンベア（４７）の端部を中心として上下回動可能に構成し、前記二番還元縦コンベア（４８）の上先端を、二番処理装置（４９）の入口部と連結し、該二番還元縦コンベア（４８）の上先端と、前記二番処理装置（４９）の入口部を上下方向に分離可能に構成したことを特徴とするコンバインの二番還元縦コンベア。
【請求項２】
請求項１記載のコンバインの二番還元縦コンベアにおいて、前記二番還元縦コンベアの上先端に、前記二番処理装置（４９）の入口部を構成する上部ケース（４９ａ）を、一体的に構成したことを特徴とするコンバインの二番還元縦コンベア。
【請求項３】
請求項１記載のコンバインの二番還元縦コンベアにおいて、前記二番コンベア（４７）と前記二番還元縦コンベア（４８）の受継部を二番受継ケース（４８ｃ）により構成し、該二番受継ケース（４８ｃ）を、前記二番コンベア（４７）のコンベア軸（４７ｂ）を軸心として、上下回動可能に構成したことを特徴とするコンバインの二番還元縦コンベア。
【発明の詳細な説明】
【技術分野】
【０００１】
本発明は、コンバインの二番還元縦コンベアの技術に関する。
【背景技術】
【０００２】
従来コンバインにおいて、選別部で選別した後の二番物を、二番コンベア、二番還元縦コンベアを介して二番処理装置に送り、該二番処理装置により枝梗等を除去した後に、再び選別部へ戻す二番還元サイクルが採用されている。この二番還元サイクルは、二番物に付着した枝梗を適切に除去し、再度選別することにより、品質のよい籾を回収することを目的とするものである。このような二番還元サイクルにおいては、二番物の滞留を防止する技術として、二番処理装置の処理胴の回転数または制御弁の角度を制御することにより、二番物の移送速度を二番物の量に応じて適切に制御するようにして、二番物の滞留防止および回収する籾の品質改善を可能とする技術が公開され、公知となっている（特許文献１および２参照）。
【特許文献１】特開２００３−９２９１９号公報
【特許文献２】特開２００３−２５０３２９号公報
【発明の開示】
【発明が解決しようとする課題】
【０００３】
しかしながら、作物が濡れた状態で刈取作業を行う場合等には、二番還元縦コンベアおよび二番処理装置の内部に、二番物が頻繁に詰まる可能性があり、二番還元縦コンベアや二番処理装置の構造としては、内部点検・清掃や部品の交換作業等が容易に可能な構造とすることが望まれている。そこで本発明では、このような現状を鑑み、二番還元縦コンベアおよび二番処理装置の内部点検や清掃等のメンテナンス作業を容易に可能とする、二番還元縦コンベアおよび二番処理装置の構造に関する技術を提供することを課題としている。
【課題を解決するための手段】
【０００４】
本発明の解決しようとする課題は以上の如くであり、次にこの課題を解決するための手段を説明する。
【０００５】
請求項１においては、選別後の二番物を揺動選別装置（４２）の前部に還元するためのコンバイン（６０）の二番還元縦コンベア（４８）において、該二番還元縦コンベア（４８）の下部を、二番コンベア（４７）の端部を中心として上下回動可能に構成し、前記二番還元縦コンベア（４８）の上先端を、二番処理装置（４９）の入口部と連結し、該二番還元縦コンベア（４８）の上先端と、前記二番処理装置（４９）の入口部を上下方向に分離可能に構成したものである。
【０００６】
請求項２においては、請求項１記載のコンバインの二番還元縦コンベアにおいて、前記二番還元縦コンベアの上先端に、前記二番処理装置（４９）の入口部を構成する上部ケース（４９ａ）を、一体的に構成したものである。
【０００７】
請求項３においては、請求項１記載のコンバインの二番還元縦コンベアにおいて、前記二番コンベア（４７）と前記二番還元縦コンベア（４８）の受継部を二番受継ケース（４８ｃ）により構成し、該二番受継ケース（４８ｃ）を、前記二番コンベア（４７）のコンベア軸（４７ｂ）を軸心として、上下回動可能に構成したものである。
【発明の効果】
【０００８】
本発明の効果として、以下に示すような効果を奏する。
【０００９】
請求項１においては、選別後の二番物を揺動選別装置（４２）の前部に還元するためのコンバイン（６０）の二番還元縦コンベア（４８）において、該二番還元縦コンベア（４８）の下部を、二番コンベア（４７）の端部を中心として上下回動可能に構成し、前記二番還元縦コンベア（４８）の上先端を、二番処理装置（４９）の入口部と連結し、該二番還元縦コンベア（４８）の上先端と、前記二番処理装置（４９）の入口部を上下方向に分離可能に構成したので、二番還元縦コンベアのメンテナンスを容易にできる。
また、二番還元コンベアの交換が容易にできる。
【００１０】
また、二番処理装置の上方が開放できるようになり、メンテナンスが容易にできる。
【００１１】
請求項２においては、請求項１記載のコンバインの二番還元縦コンベアにおいて、前記二番還元縦コンベアの上先端に、前記二番処理装置（４９）の入口部を構成する上部ケース（４９ａ）を、一体的に構成したので、二番処理装置のメンテナンスが容易にできる。
また、部品点数を削減して、組立が容易にできる。
【００１２】
請求項３においては、請求項１記載のコンバインの二番還元縦コンベアにおいて、前記二番コンベア（４７）と前記二番還元縦コンベア（４８）の受継部を二番受継ケース（４８ｃ）により構成し、該二番受継ケース（４８ｃ）を、前記二番コンベア（４７）のコンベア軸（４７ｂ）を軸心として、上下回動可能に構成したので、受継ケースの固定ボルトを外すことにより、二番還元縦コンベアの回動が容易にでき、二番コンベアのコンベア軸を二番還元縦コンベアの回動軸と駆動軸とに兼用でき、部品点数を削減できる。
【発明を実施するための最良の形態】
【００１３】
次に、発明の実施の形態を説明する。まず、本発明を適用するコンバイン６０の全体構成を、図１または図２を用いて説明をする。尚、説明の便宜上、図１に示す矢印Ａ（機体の前進側）の方向を前方とし、前進方向に向かって右側を右方としている。
【００１４】
図１または図２に示す如く、本実施例におけるコンバイン６０では、機体フレーム１を支持したトラックフレーム２にクローラ式走行装置３を装設し、該機体フレーム１上方に脱穀装置２０を配設している。該脱穀装置２０では、フィードチェーン７を機体進行方向左側に張架し、扱胴２４及び送塵口処理胴２５を内蔵している。そして、機体前部に油圧シリンダ１９によって刈取フレーム１２を介して昇降できるように構成された刈取装置１０では、前端に分草板１１を突出して穀稈を分草し、その後部に引起しケース１３を立設して該引起しケース１３より突出したタイン１４の回転により穀稈を引き起こして、分草板１１後部に配設した刈刃１５にて株元を刈り取り、刈り取られた穀稈を、上部搬送装置、下部搬送装置、縦搬送装置１６等の穀稈搬送機構１７にて後部へ搬送し、フィードチェーン７に受け継ぐようにしている。前記脱穀装置２０後方に位置する排藁処理部１８には、上部に排藁チェン３１が、下部に排藁カッター装置３２が配置される。また、選別後の精粒は後述する一番コンベア４６より揚穀コンベア４４を介してグレンタンク４に搬送し、排出オーガ５によって前記グレンタンク４内の穀粒を機外に排出できるようにしている。そして、グレンタンク４の前方には運転部６を設けている。以上が、コンバイン６０の全体構成についての説明である。
【００１５】
次に、脱穀装置２０および選別装置３０について、図２を用いて説明をする。図２に示す如く、脱穀装置２０に形成された扱室２１に機体の前後方向に軸架する扱胴２４を内設させ、扱口２３より扱室２１に穀稈を挿入するように構成している。前記扱室２１下方にはクリンプ網２２を張架し、また、該クリンプ網２２の下方には、揺動選別装置４２をその前端を臨ませて前後方向揺動自在に機枠２６に支持させている。前記クリンプ網２２の下方に揺動選別装置４２の前・後フィード板３５・３６を上下二段に配設し、フルイ線３３を前フィード板３５の後端側に配している。また、チャフシーブ３８を後フィード板３６後端後方に連設し、該チャフシーブ３８の下方にグレンシーブ３７を配設している。また、チャフシーブ３８後部と揺動本体４１後部との間には、固定チャフ部３９が配設されている。また、後面視において、扱胴２４の右側には、送塵口処理胴２５を並設し、側面視において、その前部を扱胴２４の後部にラップさせ、扱胴２４で処理しきれなかった穂切粒・枝梗付着等を処理し、送塵口処理胴２５の下方に配するクリンプ網２５ａより脱粒された穀粒を固定チャフ部３９上に落下させるようにしている。また、揺動本体４１後部下面は、クランク軸等の揺動駆動機構３４によって揺動駆動可能に連結されている。
【００１６】
また、両フィード板３５・３６の上下間に選別風を送給するプレファンである送塵ファン４３と、チャフシーブ３８とグレンシーブ３７間及びグレンシーブ３７下方に選別風を送給するメインの送風装置である唐箕ファン４５からの送風により、クリンプ網２２・２５ａを漏下した穀粒の拡散を行うように構成している。そして、「穀粒」と「穀粒藁」とが比重選別と風選別により「一番物」「二番物」「藁屑」等に選別される。
【００１７】
前記グレンシーブ３７下方に横設される一番コンベア４６は、揚穀コンベア４４に連通して前記グレンタンク４に穀粒を搬送し貯溜する構成としている。また、一番コンベア４６の後方には、二番コンベア４７が横設され、該二番コンベア４７に回収される二番物を、二番還元縦コンベア４８に搬送する。そして、該二番還元縦コンベア４８により、二番物は、該二番還元縦コンベア４８の前方側端部に連結した二番処理装置４９まで搬送され、該二番処理装置４９内の二番処理胴により枝梗を除去された後、揺動本体４１の選別前部に再投入される。
【００１８】
また、前記揺動選別装置４２の後端上方には、吸引ファン４０が配設され、該吸引ファン４０により、藁屑を吸引し、機体後部より排出するようにしている。
【００１９】
このような構成において、前記フィードチェーン７により挟持された穀稈は、後方へ搬送されながら前記脱穀装置２０の扱室２１に備えられた扱胴２４の回転によって脱粒され、排藁等は後方の排藁カッター装置３２に送られて切断後に後方より圃場に放出される。一方、クリンプ網２２を漏下した穀粒・藁屑等は、揺動選別装置４２上に落ち、そこで揺動選別されながら後方へ送られる。そして、この穀粒・藁屑等は、前記チャフシーブ３８やグレンシーブ３７等を通過して流穀板等にガイドされながら一番樋上に落下し、その落下途中において、送塵ファン４３及び唐箕ファン４５から供給された選別風によって風選別が施される。
【００２０】
つまり、グレンシーブ３７上に漏下した穀粒、未熟穀粒、枝梗付着粒および細かい藁屑等のうち、穀粒、未熟穀粒、細かい藁屑等はグレンシーブ３７を通過して下方に落下する。このとき、重量が大きい穀粒（一番物）は一番回収部４６ａ（前フィード板３５の後方に設けられた選別装置３０底面の窪みであり、一番コンベア４６が収容されている）に回収され、一番コンベア４６から揚穀コンベア４４を経て、グレンタンク４に搬送される。
【００２１】
一方、重量が小さい未熟穀粒や細かい藁屑の一部や穂切り粒や穀粒等が混じった未処理粒（二番物等）は、唐箕ファン４５からの選別風により後方に吹き飛ばされ、二番回収部４７ａ（一番回収部４６ａの後方に設けられた選別装置３０底面の窪みであり、二番コンベア４７が収容されている）に回収され、二番コンベア４７から二番還元縦コンベア４８を経て、二番処理装置４９に搬送され、該二番処理装置４９により枝梗が除去された後、前フィード板３５上に還元される。以上が、脱穀装置２０および選別装置３０についての説明である。
【００２２】
次に、本発明の要旨である、二番還元装置５０について、図２または図３を用いて詳細に説明をする。図２に示す如く、二番還元装置５０は、二番コンベア４７、二番還元縦コンベア４８および二番処理装置４９等により構成されている。前述した通り、脱穀後の二番物は二番還元装置５０により前フィード板３５上に還元される。つまり、該二番還元装置５０は二番コンベア４７の終端に二番還元縦コンベア４８を連通し、該二番還元縦コンベア４８の終端に二番処理装置４９の始端を連通し、該二番処理装置４９の終端より揺動選別装置４２へ還元する構成としている。
【００２３】
さらに詳述すると、図２に示す如く、前記クリンプ網２２から漏下する穀粒や藁屑等のうち二番物は、二番コンベア４７上に集められる。二番還元縦コンベア４８は搬送手段をスクリューコンベアで構成し、その始端部が前記二番コンベア４７の左右一側に連通され、二番還元縦コンベア４８の終端は前上方へ延設されて、二番処理装置４９に接続される。該二番処理装置４９は揺動選別装置４２の前上部、つまり、前フィード板３５の上部に配設され、始端部で二番還元縦コンベア４８の終端（前端上部）と連通され、二番処理装置４９の左端部が扱室２１の右側面前下部に開口した投入口と連通して二番物を還元するようにしている。以上が、二番還元装置５０についての説明である。
【００２４】
次に、二番還元装置５０のメンテナンス等における回動時の態様について、図３乃至図５を用いて説明をする。図３に示す如く、二番還元縦コンベア４８は、本体ケース４８ａ、スクリュー４８ｂ、受継ケース４８ｃ、排出部４８ｄ等で構成され、受継ケース４８ｃ部が機枠２６に固定され、また排出部４８ｄが、後述する二番処理装置４９の上部ケース４９ａと固定して支持するように構成している。また、スクリュー４８ｂの最下部（もしくは最頂部）に回転が伝達されることにより、べベルギア（図示せず）等を介してスクリューコンベアで構成されるスクリュー４８ｂに回転が伝達され、二番物を斜め前上方に搬送するように構成している。
【００２５】
また、図３乃至図５に示す如く、二番還元縦コンベア４８は、二番コンベア４７のコンベア軸４７ｂの端部により軸支される構成としており、これにより、二番還元縦コンベア４８は、コンベア軸４７ｂを軸心として上下回動可能に構成している。つまり、機枠２６と受継ケース４８ｃの外周縁部に設ける固定部のボルト５１ａ・５１ｂ・５１ｃ、および、排出部４８ｄの下部に固定した二番処理装置４９の上部ケース４９ａと下部ケース４９ｂとの固定部のボルト５２ａ・５２ｂを外すことにより、コンベア軸４７ｂを軸心として、二番還元縦コンベア４８を容易に回動可能な状態にすることができる。つまり、受継ケース４８ｃの外周縁部には複数のボルト孔がコンベア軸４７ｂと平行な方向に貫通するように開口され、機枠２６側に設けたネジ孔にボルト５１ａ・５１ｂ・５１ｃを螺装固定できるようにしている。但し、前記受継ケース４８ｃの外周縁部に設けるボルト孔をコンベア軸４７ｂを中心とした長孔に構成することにより、固定部のボルト５１ａ・５１ｂ・５１ｃを外すことなく、緩めるだけで二番還元縦コンベア４８を上方に回動することが可能となり、二番還元縦コンベア４８が側方へ抜けることなく、ボルトを紛失することも防止できる。この時、図５に示す如く、全てのボルト孔（本実施例では３箇所）を長孔に構成してもよいし、また、ボルト孔の内１箇所を長穴とする構成であってもよい。また、長孔により上昇回動時に他の部材と干渉しない範囲で回動できるように角度を制限することもでき、ボルトを締め付けることで、上昇回動位置に二番還元縦コンベア４８を固定することもできる。尚、前記固定部におけるボルト・ナットの数は限定するものではなく、また、ボルト・ナット以外のワンタッチ金具等を用いて、取り外し作業をさらに容易にする構成とすることも可能である。
【００２６】
また、図３乃至図４に示す如く、二番処理装置４９は上部ケース４９ａや下部ケース４９ｂや二番処理胴（図示せず）等で構成され、筒状の二番処理装置４９のケースを軸心（コンベア軸４７ｂと二番処理胴の軸）と平行な平面で、略上下に二分割可能な構造としている。そして、上部ケース４９ａは二番還元縦コンベア４８の排出部４８ｄの下部に固設し、下部ケース４９ｂは、機枠２６に固設している。つまり、二番処理装置４９のケースは機枠２６を左右方向に貫通して配設され、機枠２６外側に位置する二番還元物を投入する入口部分となるケースを上部ケース４９ａとして下部ケース４９ｂより上下に分離可能に構成している。よって、下部ケース４９ｂを機枠２６側に残したまま、上部ケース４９ａのみを取り外すことが可能である。このように構成することで、通常作業時においては、各ケース４９ａ・４９ｂは互いにボルト５２ａ・５２ｂで結合され一体化しているが、メンテナンス時においては、この結合用のボルト５２ａ・５２ｂを取り外すことにより、下部ケース４９ｂを機枠２６側に残したままで、上部ケース４９ａと二番還元縦コンベア４８を上方に回動し、上部ケース４９ａ側の二番処理装置４９上部を開放することができるように構成している。このとき、二番処理装置４９の上面側内部が、略全長に渉って露出されるようになり、二番処理装置４９内部のメンテナンス作業が容易にできるように改善される。
【００２７】
また、さらに二番還元縦コンベア４８を鉛直状態となるように回動することもできるため、スクリュー４８ｂを引き抜くことが容易となり、スクリュー４８ｂの交換作業を容易に行うことができる。以上が、二番還元装置５０回動時の態様についての説明である。
【００２８】
以上の説明に示す如く、選別後の二番物を揺動選別装置４２の前部に還元するためのコンバイン６０の二番還元縦コンベア４８において、二番還元縦コンベア４８を、二番コンベア４７の端部を中心として回動可能に構成している。これにより、二番還元縦コンベア４８のメンテナンスを容易にできるのである。また、二番還元コンベアの交換が容易にできるのである。
【００２９】
また、二番還元縦コンベア４８の先端を、二番処理装置４９の入口部（上部ケース４９ａ）と連結し、二番還元縦コンベア４８の先端（即ち、上部ケース４９ａ）と、下部ケース４９ｂを上下方向に分離可能に構成している。これにより、二番処理装置４９の上方が開放できるようになり、メンテナンスが容易にできるのである。
【００３０】
また、二番還元縦コンベア４８の先端に、二番処理装置４９の上部ケース４９ａを一体的に構成している。これにより、二番処理装置４９のメンテナンスが容易にできるのである。また、部品点数を削減して、組立が容易にできるのである。
【００３１】
また、二番コンベア４７と二番還元縦コンベア４８の受継部の受継ケース４８ｃを、二番コンベア４７のコンベア軸４７ｂを軸心として回動可能に構成している。これにより、受継ケース４８ｃの固定ボルトを外すことにより、二番還元縦コンベア４８の回動が容易にでき、二番コンベア４７のコンベア軸４７ｂを二番還元縦コンベア４８の回動軸と駆動軸とに兼用でき、部品点数を削減できるのである。
【図面の簡単な説明】
【００３２】
【図１】本発明の一実施例に係るコンバインの全体的な構成を示した右側面図。
【図２】脱穀装置および選別装置の詳細を示した右側面図。
【図３】二番還元装置回動時の全体的な態様をしめす側面図。
【図４】二番還元装置回動時の二番処理装置部分の詳細な態様を示す側面図。
【図５】同じく受継ケース部分の詳細な態様を示す側面図。
【符号の説明】
【００３３】
４２    揺動選別装置
４７    二番コンベア
４８    二番還元縦コンベア
６０    コンバイン
【図１】
0004628289.tif 000002
【図２】
0004628289.tif 000003
【図３】
0004628289.tif 000004
【図４】
0004628289.tif 000005
【図５】
0004628289.tif 000006